【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
文書画像に対して行方向の射影と行方向に垂直な方向の射影とを取ることにより、文字画像を含む矩形領域を文字矩形として抽出する文字矩形抽出手段と、
前記抽出した文字矩形の外接枠に沿って黒画素の探索を行って、当該外接枠に接する連結黒画素を取得する取得手段と、
前記取得手段で取得した連結黒画素がノイズである可能性があるか否かの判定を行う判定手段と、
前記判定手段でノイズである可能性があると判定した連結黒画素を前記文字矩形内の画像から除去し、当該除去後の前記文字矩形内の黒画素に外接する外接矩形の領域をノイズ候補除去文字矩形として生成する生成手段と、
前記ノイズ候補除去文字矩形内の画像及び前記文字矩形内の画像についてそれぞれ文字認識処理を実行して、当該文字認識処理結果に基づいて妥当性が高いほうの矩形を選択する選択手段と
を備えることを特徴とする画像処理装置。
【請求項２】
請求項１に記載の装置において、
前記判定手段は、前記連結黒画素の幅、前記連結黒画素の高さ、前記連結黒画素の面積、前記連結黒画素のアウトラインを構成するストロークの長さ、及び、前記連結黒画素の他の連結黒画素からの距離、のうち少なくとも一つに基づいて前記判定を行うことを特徴とする装置。
【請求項３】
請求項１に記載の装置において、
前記選択手段は、前記ノイズ候補除去文字矩形及び前記文字矩形の形状を解析し、当該解析した各矩形の文字幅と標準文字幅との誤差、及び当該解析した各矩形の文字高さと標準文字高さとの誤差、のうち少なくとも一つと前記文字認識処理結果とに基づいて、前記妥当性が高いほうの矩形を選択することを特徴とする装置。
【請求項４】
請求項３に記載の装置において、
前記選択手段は、前記解析した各矩形の文字幅と標準文字幅との誤差及び前記解析した各矩形の文字高さと標準文字高さとの誤差とに基づいて各矩形の矩形補正値を求め、前記文字認識処理結果として得られた認識類似度と前記求めた矩形補正値とに基づいて、前記妥当性が高いほうの文字矩形を選択することを特徴とする装置。
【請求項５】
文字矩形抽出手段が、文書画像に対して行方向の射影と行方向に垂直な方向の射影とを取ることにより、文字画像を含む矩形領域を文字矩形として抽出する文字矩形抽出ステップと、
取得手段が、前記抽出した文字矩形の外接枠に沿って黒画素の探索を行って、当該外接枠に接する連結黒画素を取得する取得ステップと、
判定手段が、前記取得ステップで取得した連結黒画素がノイズである可能性があるか否かの判定を行う判定ステップと、
生成手段が、前記判定ステップでノイズである可能性があると判定した連結黒画素を前記文字矩形内の画像から除去し、当該除去後の前記文字矩形内の黒画素に外接する外接矩形の領域をノイズ候補除去文字矩形として生成する生成ステップと、
選択手段が、前記ノイズ候補除去文字矩形内の画像及び前記文字矩形内の画像についてそれぞれ文字認識処理を実行して、当該文字認識処理結果に基づいて妥当性が高いほうの矩形を選択する選択ステップと
を含むことを特徴とする文字矩形抽出方法。
【請求項６】
請求項５に記載の方法において、
前記判定ステップにおいて、前記連結黒画素の幅、前記連結黒画素の高さ、前記連結黒画素の面積、前記連結黒画素のアウトラインを構成するストロークの長さ、及び、前記連結黒画素の他の連結黒画素からの距離、のうち少なくとも一つに基づいて前記判定を行うことを特徴とする方法。
【請求項７】
請求項５に記載の方法において、
前記選択ステップにおいて、前記ノイズ候補除去文字矩形及び前記文字矩形の形状を解析し、当該解析した各矩形の文字幅と標準文字幅との誤差、及び当該解析した各矩形の文字高さと標準文字高さとの誤差、のうち少なくとも一つと前記文字認識処理結果とに基づいて、前記妥当性が高いほうの矩形を選択することを特徴とする方法。
【請求項８】
請求項７に記載の方法において、
前記選択ステップにおいて、前記解析した各矩形の文字幅と標準文字幅との誤差及び前記解析した各矩形の文字高さと標準文字高さとの誤差とに基づいて各矩形の矩形補正値を求め、前記文字認識処理結果として得られた認識類似度と前記求めた矩形補正値とに基づいて、前記妥当性が高いほうの文字矩形を選択することを特徴とする方法。
【請求項９】
コンピュータを、
文書画像に対して行方向の射影と行方向に垂直な方向の射影とを取ることにより、文字画像を含む矩形領域を文字矩形として抽出する文字矩形抽出手段、
前記抽出した文字矩形の外接枠に沿って黒画素の探索を行って、当該外接枠に接する連結黒画素を取得する取得手段、
前記取得手段で取得した連結黒画素がノイズである可能性があるか否かの判定を行う判定手段、
前記判定手段でノイズである可能性があると判定した連結黒画素を前記文字矩形内の画像から除去し、当該除去後の前記文字矩形内の黒画素に外接する外接矩形の領域をノイズ候補除去文字矩形として生成する生成手段、
前記ノイズ候補除去文字矩形内の画像及び前記文字矩形内の画像についてそれぞれ文字認識処理を実行して、当該文字認識処理結果に基づいて妥当性が高いほうの矩形を選択する選択手段、
として機能させるためのコンピュータプログラム。
【請求項１０】
請求項９に記載のコンピュータプログラムを格納した、コンピュータ読み取り可能な記憶媒体。
【手続補正２】
【補正対象書類名】明細書
【補正対象項目名】００１１
【補正方法】変更
【補正の内容】
【００１１】
上記課題を解決するために本発明が提供する装置は、文書画像に対して行方向の射影と行方向に垂直な方向の射影とを取ることにより、文字画像を含む矩形領域を文字矩形として抽出する文字矩形抽出手段と、前記抽出した文字矩形の外接枠に沿って黒画素の探索を行って、当該外接枠に接する連結黒画素を取得する取得手段と、前記取得手段で取得した連結黒画素がノイズである可能性があるか否かの判定を行う判定手段と、前記判定手段でノイズである可能性があると判定した連結黒画素を前記文字矩形内の画像から除去し、当該除去後の前記文字矩形内の黒画素に外接する外接矩形の領域をノイズ候補除去文字矩形として生成する生成手段と、前記ノイズ候補除去文字矩形内の画像及び前記文字矩形内の画像についてそれぞれ文字認識処理を実行して、当該文字認識処理結果に基づいて妥当性が高いほうの矩形を選択する選択手段とを備える。
【手続補正３】
【補正対象書類名】明細書
【補正対象項目名】００１２
【補正方法】変更
【補正の内容】
【００１２】
上記課題を解決するために本発明が提供する方法は、文字矩形抽出手段が、文書画像に対して行方向の射影と行方向に垂直な方向の射影とを取ることにより、文字画像を含む矩形領域を文字矩形として抽出する文字矩形抽出ステップと、取得手段が、前記抽出した文字矩形の外接枠に沿って黒画素の探索を行って、当該外接枠に接する連結黒画素を取得する取得ステップと、判定手段が、前記取得ステップで取得した連結黒画素がノイズである可能性があるか否かの判定を行う判定ステップと、生成手段が、前記判定ステップでノイズである可能性があると判定した連結黒画素を前記文字矩形内の画像から除去し、当該除去後の前記文字矩形内の黒画素に外接する外接矩形の領域をノイズ候補除去文字矩形として生成する生成ステップと、選択手段が、前記ノイズ候補除去文字矩形内の画像及び前記文字矩形内の画像についてそれぞれ文字認識処理を実行して、当該文字認識処理結果に基づいて妥当性が高いほうの矩形を選択する選択ステップとを含む。
【手続補正４】
【補正対象書類名】明細書
【補正対象項目名】００１３
【補正方法】変更
【補正の内容】
【００１３】
上記課題を解決するために本発明が提供するコンピュータプログラムは、コンピュータを、文書画像に対して行方向の射影と行方向に垂直な方向の射影とを取ることにより、文字画像を含む矩形領域を文字矩形として抽出する文字矩形抽出手段、前記抽出した文字矩形の外接枠に沿って黒画素の探索を行って、当該外接枠に接する連結黒画素を取得する取得手段、前記取得手段で取得した連結黒画素がノイズである可能性があるか否かの判定を行う判定手段、前記判定手段でノイズである可能性があると判定した連結黒画素を前記文字矩形内の画像から除去し、当該除去後の前記文字矩形内の黒画素に外接する外接矩形の領域をノイズ候補除去文字矩形として生成する生成手段、前記ノイズ候補除去文字矩形内の画像及び前記文字矩形内の画像についてそれぞれ文字認識処理を実行して、当該文字認識処理結果に基づいて妥当性が高いほうの矩形を選択する選択手段、として機能させるためのコンピュータプログラムである。